(57)【特許請求の範囲】
【請求項１】
建物ユニットの床面に複数の領域が設定され、
当該領域に応じて形成されるとともに、強度の異なる複数種類の床面構成体が用意され、
前記領域の各々には、当該領域に加わる床面荷重に応じて選択された床面構成体が設けられ、
前記複数種類の床面構成体としては、少なくとも金属製の支持部材およびセメント系の床面材を組み合わせたものと、木製の支持部材およびパーティクルボードを組み合わせたものとが用意されていることを特徴とする建物ユニットの床構造。
【請求項２】
請求項１に記載の建物ユニットの床構造において、
前記建物ユニットは、四隅に立設される柱と、これらの柱の上、下端間を連絡する上梁および下梁とを含んで構成される直方体状のフレームを有するものであり、
前記領域は、前記建物ユニットの各寸法の設定基準となった基準寸法毎に、当該建物ユニットの長辺寸法を分割して設定されていることを特徴とする建物ユニットの床構造。
【請求項３】
建物ユニットの床面に複数の領域が設定され、
当該領域に応じて形成されるとともに、強度の異なる複数種類の床面構成体が用意され、
前記領域の各々には、当該領域に加わる床面荷重に応じて選択された床面構成体が設けられ、
前記複数種類の床面構成体としては、少なくとも金属製の支持部材およびセメント系の床面材を組み合わせたものと、木製の支持部材およびパーティクルボードを組み合わせたものとが用意され、
前記建物ユニットは、四隅に立設される柱と、これらの柱の上、下端間を連絡する上梁および下梁とを含んで構成される直方体状のフレームを有するものであり、
前記領域は、前記建物ユニットの各寸法の設定基準となった基準寸法毎に、当該建物ユニットの長辺寸法を分割して設定され、
前記床面構成体は、前記領域に応じた大きさの床面材と、前記建物ユニットの下梁の間に架設されるとともに前記床面材の下面を支持する支持部材とを備え、
前記支持部材は、隣り合う２つの前記領域にまたがって設けられ、床面荷重の大きな領域の床面支持部材が床面荷重の小さな領域の床面構成体の支持部材を兼ねることを特徴とする建物ユニットの床構造。
【発明の詳細な説明】
【０００１】
【発明の属する技術分野】
本発明は、建物ユニットの床構造に係り、ユニット式建物等に利用することができる。
【０００２】
【背景技術】
従来より、工場で製作した建物ユニットを建築現場にて組み合わせて形成されるユニット式建物が利用されている。ユニット式建物によれば、建築現場での作業が軽減され、短期間で施工を完了することができる。
ユニット式建物に使用される建物ユニットは、四隅に立設される柱と、これらの柱の上端間、下端間に架設される上梁、下梁とからなる箱状のフレームを備えて形成されている。そして、このフレームの内部には、工場にて、ユニット式建物の床面を構成する床面材や天井面を構成する天井面材等が予め取り付けられており、このように建物ユニット内に床面、天井面等が形成されているので、建築現場での作業が軽減されることとなる。
建物ユニットの床構造は、前述したフレームの長辺方向に延びる２本の下梁間に複数本架設される支持部材と、この支持部材の上部に取り付けられる床面材とを含んで形成され、従来は、建物ユニット内の床面領域全体を一単位として床面荷重に対する設計強度算定を行っていた。
【０００３】
【発明が解決しようとする課題】
このように全体で均一に設計される建物ユニットの床面においても、重量物であるグランドピアノや本棚等が載置されることがあり、建物ユニットの床面の一部分に大きな床面荷重が作用することがある。
この場合、従来は、設計上の重量物の配置に応じて支持部材の本数を増やし、床面を補強して対応していたが、工場における建物ユニットの製作作業の合理化を図ることが難しいという問題がある。
【０００４】
本発明の目的は、建物ユニットの床面に部分的に大きな荷重が作用してもこれに対応した強度の床面を簡易に形成することのできる建物ユニットの床構造を提供するものである。
【０００５】
【課題を解決するための手段】
本発明に係る建物ユニットの床構造は、図面の符号を参照して説明すれば、建物ユニット１０の床面３０に複数の領域３１〜３４が設定され、当該領域３１〜３４に応じて形成されるとともに、強度の異なる複数種類の床面構成体５０、６０が用意され、前記領域３１〜３４の各々には、当該領域３１〜３４に加わる床面荷重に応じて選択された床面構成体５０、６０が設けられ、複数種類の床面構成体としては、少なくとも金属製の支持部材６１およびセメント系の床面材６２を組み合わせた床面構成体６０と、木製の支持部材５１およびパーティクルボード５２を組み合わせた床面構成体５０とを用意しておくことを特徴とするものである。
このような本発明によれば、領域３１〜３４に加わる床面荷重に応じて強度の異なる床面構成体５０、６０を選択して設けることができるので、建物ユニット１０の床面３０のある領域３３に部分的に大きな荷重が作用し、高強度の床構造を形成する必要がある場合でも、当該領域３３に採用する床面構成体を選択するだけで簡単に対応することができ、建物ユニットの製作作業の合理化、簡単化が図られる。
また、床面構成体としては、領域３１〜３４に応じた大きさの床面材５２（６２）と、建物ユニット１０の下梁１４の間に架設されるとともに床面材５２（６２）の下面を支持する支持部材５１（６１）とを備えた床面構成体５０（６０）を採用するとよい。
床面構成体５０、６０をこのような簡単な構成にしておけば、強度の異なる床面構成体を種類多く用意でき、領域３１〜３４に加わる床面荷重に応じて、強度・コスト的に適切な床面構成体５０、６０を設けることが可能となる。
さらに、このように強度の異なる２種類の床面構成体５０、６０最低限用意しておけば、大きな床面荷重が作用する領域３３には、高強度の床面構成体６０を使用し、他の領域３１、３２、３４には、安価な床面構成体５０を使用することが可能となり、床面構成体の材料コストの低減が図られる。
加えて、セメント系床面材６２がパーティクルボード５１に比較して重量があり振動吸収性能が高いので、例えば、建物ユニット１０の床面３０の一部がダンスホール等の用途に供されても、ダンスによって生じる振動が建物の他の部分に影響を及ぼすことが少なく、快適な住空間が確保される。
【０００６】
以上において、建物ユニット１０が四隅に立設される柱１２と、これらの柱の上、下端間を連絡する上梁１３、１５および下梁１４、１６とを含んで構成される直方体状のフレーム１１を有するものである場合、前述の領域としては、建物ユニット１０の各寸法の設定基準となった基準寸法Ｍ毎に、当該建物ユニット１０の長辺寸法Ｌを分割して設定された領域３１〜３４とするとよい。
このような領域３１〜３４を設定することにより、設計上の床面荷重に対する強度計算は、互いに対向する２本の下梁１４を支点とする支持部材５１、６１の単純梁のたわみ計算によって概ね算出されるので、床面構成体の材料仕様が簡単に決定される。
【０００９】
本発明に係る建物ユニットの床構造は、図面の符号を参照して説明すれば、建物ユニット１０の床面３０に複数の領域３１〜３４が設定され、当該領域３１〜３４に応じて形成されるとともに、強度の異なる複数種類の床面構成体５０、６０が用意され、前記領域３１〜３４の各々には、当該領域３１〜３４に加わる床面荷重に応じて選択された床面構成体５０、６０が設けられ、複数種類の床面構成体としては、少なくとも金属製の支持部材６１およびセメント系の床面材６２を組み合わせた床面構成体６０と、木製の支持部材５１およびパーティクルボード５２を組み合わせた床面構成体５０とを用意され、建物ユニット１０が四隅に立設される柱１２と、これらの柱の上、下端間を連絡する上梁１３、１５および下梁１４、１６とを含んで構成される直方体状のフレーム１１を有するものである場合、前述の領域としては、建物ユニット１０の各寸法の設定基準となった基準寸法Ｍ毎に、当該建物ユニット１０の長辺寸法Ｌを分割して設定された領域３１〜３４とし、床面構成体としては、領域３１〜３４に応じた大きさの床面材５２（６２）と、建物ユニット１０の下梁１４の間に架設されるとともに床面材５２（６２）の下面を支持する支持部材５１（６１）とを備えた床面構成体５０（６０）を備え、床面構成体の支持部材としては、隣り合う２つの領域３２、３３にまたがって設けられ、床面荷重の大きな領域３３の床面支持部材６１が床面荷重の小さな領域３２の床面構成体１５０の支持部材を兼ねている支持部材６１を採用することを特徴とするものである。
このように支持部材６１が隣り合う領域３２、３３にまたがって設けられていれば、建物ユニット１０内に架設される支持部材５１、６１の本数が低減されるので、建物ユニット製作のための材料コストが低減される。
【００１０】
【発明の実施の形態】
以下に本発明の第１の実施形態を図面に基づいて説明する。
図１には、第１の実施形態に係る建物ユニットの床構造が形成された建物ユニットの概要斜視図が示されている。
建物ユニット１０は、柱、梁部材を組み合わせた直方体状のフレーム１１を有し、四隅に立設される角形鋼製の柱１２と、これらの柱の上端間、下端間を連絡する溝形鋼製の上梁、下梁のうち、直方体の長辺を形成する長辺上梁１３、長辺下梁１４と、直方体の短辺を形成する短辺上梁１５、短辺下梁１６とを備えている。尚、これらの上梁１３、１５、下梁１４、１６は、溝形鋼の開口部が内側に向けられるように設けられている。
そして、長辺下梁１４と短辺下梁１６の上面には、床面３０が形成され、この床面３０は、建物ユニット１０の長辺寸法Ｌが基準寸法Ｍによって分割され、領域３１、３２、３３、３４が設定されている。尚、領域３３には、重量物１００が載置されることとなるため、他の領域３１、３２、３４よりも高強度の床構造を形成する必要がある。
【００１１】
このような領域３１〜３４に設けられる床面構成体は、床面材と支持部材からなり、各領域に作用する床面荷重に応じて床面材、支持部材の材料を決定しており、例えば、次のような部材群の組み合わせによって成り立っている。
床面構成体        支持部材                    床面材
Ａタイプ    木製根太(W30×H180)        パーティクルボード(15mm厚)
Ｂタイプ    木製根太(W38×H175)        パーティクルボード(20mm厚)
Ｃタイプ    溝形鋼根太（W50×H150)     セメント板(45mm厚)
Ｄタイプ    溝形鋼根太（W50×H60)      ＡＬＣ板(135mm厚)
【００１２】
図２には、図１のII−II線切断図が示されており、上述した床面構成体Ａ〜Ｄタイプのうち、領域３１、３２、３４には、Ｂタイプの床面構成体５０が設けられ、重量物１００の載置される領域３３には、Ｃタイプの床面構成体６０が設けられている。
床面構成体５０（６０）は、互いに対向する２本の長辺下梁１４の間に架設される２本の支持部材５１（６１）と、この支持部材５１（６１）の上部に設けられる床面材５２（６２）とを含んで形成されている。
この床面材５２（６２）は、各領域３１、３２、３４（３３）に応じた大きさを有し、隣り合う領域との境界線に沿った端縁の各々の下面には、支持部材５１（６１）が配置されている。
尚、Ｂタイプの床面構成体５０における床面材５２と支持部材５１とは、支持部材５１の延出方向に沿って配列される複数本の釘によって固定されており、Ｃタイプの床面構成体６０における床面材６２と支持部材６１とは、支持部材６１の延出方向に沿って配列されるセルフドリリングねじによって固定されている。
また、建物ユニット１０の両端に位置する領域３１と３４の床面材５２の下面の外側端縁には、短辺下梁１６があるために、支持部材５１は、この短辺下梁１６の幅の分床面材５２の端縁よりも内側に配置されている。
【００１３】
図３には、互いに隣接する領域３２と領域３３との境界部分の納まりが示されており、領域３２には、Ｂタイプの床面構成体５０が、領域３３には、Ｃタイプの床面構成体６０がそれぞれ設けられている。
床面構成体５０の床面材５２は、床面構成体６０の床面材６２よりも厚さが薄くなっているため、支持部材５１の高さ寸法は、支持部材６１の高さ寸法よりも大きいものを使用して床面材５２の上面と床面材６２の上面との水平レベルを一致させ、連続した床面を形成している。
【００１４】
このような第１の実施形態によれば、次のような効果がある。
床面構成体５０、６０が前述のＡタイプ〜Ｄタイプのように強度に応じて予め用意されていれば、重量物１００の配置等による建物ユニット１０の床面３０に部分的に大きな荷重が作用するという設計上の変更が生じた場合でも簡単に対応することができ、建物ユニット１０の製作の合理化を図ることができる。とりわけ、Ａタイプ〜Ｄタイプ等強度別に符号を設けておけば、領域と床面構成体のタイプとを指定するだけで対応することができ、いっそう建物ユニット１０の製作の合理化を図ることができる。
【００１５】
また、領域３１〜３４を長辺下梁１４の延出方向に沿って、基準寸法Ｍで分割し、この基準寸法Ｍと短辺下梁１６の長さ寸法に等しい寸法の長方形状としたので、設計上の床面荷重に対する強度計算は、互いに対向する２本の下梁１４を支点とする支持部材５１（６１）の単純梁のたわみ計算によって概ね算出でき、床面構成体の材料仕様を簡単に決定することができる。
さらに、床面構成体５０（６０）をこのような簡単な構成にしておけば、上述したように領域３１〜３４に加わる床面荷重に応じて強度の異なる床面構成体を種類多く用意することが可能となり、床面構成体のバリエーション展開を容易に図ることができる。
さらにまた、Ａタイプ〜Ｄタイプに示される床面構成体中にセメント系の床面材６２を使用した床面構成体６０やＡＬＣ製の床面材を使用した床面構成体が予め用意されているので、建物ユニット１０の床面３０に振動吸収性の高い床面を形成することができ、建物ユニット１０の床面３０の一部をダンスホール等の利用に供するができる。
【００１６】
図４には、本発明の第２実施形態が示されており、第１実施形態における図３に相当する図である。尚、以下の説明では、すでに説明した部分には同一符号を付し、その説明を省略または簡略にする。
第１の実施形態では、床面構成体５０（６０）には、床面材５２（６２）１枚当たり２本の支持部材５１（６１）が使用されていたが、第２の実施形態における床面構成体１５０（１６０）には、隣り合う領域３２、３３にまたがる１本の支持部材しか取り付けられていない点が相違する。
支持部材６１は、重量物が載置される領域３３の床面荷重によって決定されており、本実施形態では溝形鋼が採用され、この支持部材６１の床面荷重の小さな領域３２にはみ出した部分には、床面材５２が取り付けられる。
尚、領域３２に使用される床面材５２の厚さ寸法が領域３３の床面材６２の厚さ寸法よりも小さくなっているため、支持部材６１と床面材５２との間には、支持部材６１に沿って延びる長尺のスペーサ１７０が介装されている。これにより、床面材５２と床面材６２の上面レベルが一致し、連続した床面が形成されている。
このような構造の床面構成体とすれば、隣り合う領域３２、３３に設けられる床面構成体１５０、１６０の床面材５２、６２は、１本の支持部材６１によって支持することができるので、床面構成体の製作・材料コストの低減を図ることができる。
【００１７】
尚、本発明は、前述の実施形態に限定されるものではなく、次に示すような変形をも含むものである。
すなわち、前述の実施形態では、建物ユニット１０は、フレーム１１を用いた軸組構造であったが、これに限らず、平板パネルを箱状に組み合わせて形成された壁式構造の建物ユニットであってもよい。
また、前述の実施形態では、床面構成体５０、６０は、Ａタイプ〜Ｄタイプの仕様から選択していたが、これに限らず、例えば、支持部材を木製根太とし、床面材を合板としたタイプが加えられていてもよい。
その他、本発明の実施の際の具体的な構造及び形状等は、本発明の目的を達成できる範囲で他の構造等でもよい。
【００１８】
【発明の効果】
前述のように、本発明の建物ユニットの床構造によれば、建物ユニットの床面に部分的に大きな荷重が作用してもこれに対応した強度の床面を形成することができる。
【図面の簡単な説明】
【図１】本発明の第１実施形態に係る建物ユニットを表す概要斜視図である。
【図２】図１のII−II線における切断面図である。
【図３】前述の実施形態における異なる強度の床面構成体の納まりを示した断面詳細図である。
【図４】本発明の第２の実施形態における図３に相当する図である。
【符号の説明】
１０  建物ユニット
１１  フレーム
１２  柱
１３、１５  上梁
１４、１６  下梁
３０  床面
３１、３２、３３、３４  領域
５０、６０  床面構成体
５１  木製の支持部材
５２  パーティクルボード
６１  金属製の支持部材
６２  セメント系床面材
Ｍ  基準寸法
【図１】
0003843151.tif 000002
【図２】
0003843151.tif 000003
【図３】
0003843151.tif 000004
【図４】
0003843151.tif 000005